(57)【要約】【課題】  雨水タンクに雨水を貯留することができるとともに、当該雨水に微生物が繁殖することを抑制することができ、なおかつ、雨水タンクの設置場所を省スペース化することができる雨水貯留構造を提供する。【解決手段】  雨水貯留構造１は、建築物の外壁６内部に収納される雨水タンク７と、前記建築物の軒樋４から流下する雨水の一部を前記雨水タンク７に導入する雨水流路管８と、前記雨水タンク７から下方に延びて設けられ、当該雨水タンク７に貯留した水を外部に導く導水管９と、該導水管９を開閉可能な止水栓１１と、上水道から水道水を前記雨水タンク７に導入する水道流路管１１と、を備える。【選択図】図１
0003170060.tif 000002
【実用新案登録請求の範囲】
【請求項１】
家屋の外壁内部に収納される雨水タンクと、
前記家屋の軒樋から流下する雨水の少なくとも一部を前記雨水タンクに導入する雨水流路管と、
前記雨水タンクから下方に延びて設けられ、当該雨水タンクに貯留した水を外部に導く導水管と、
該導水管を開閉可能な止水栓と、
上水道から水道水を前記雨水タンクに導入する水道流路管と、
を備えることを特徴とする家屋の雨水貯留構造。
【請求項２】
前記雨水タンクはその下端が家屋の床面から所定距離を開けて上方に配置されることを特徴とする請求項１に記載の家屋の雨水貯留構造。
【請求項３】
前記家屋は２階建て以上の建物であって、前記雨水タンクは２階以上の階の外壁に設けられることを特徴とする請求項１又は請求項２に記載の家屋の雨水貯留構造。
【請求項４】
前記導水管は、タンクレストイレに連通することを特徴とする請求項２又は請求項３に記載の家屋の雨水貯留構造。
【請求項５】
前記雨水流路管又は前記雨水流路管よりも上流にフィルターが形成されることを特徴とする請求項１から請求項４のいずれかに記載の家屋の雨水貯留構造。
【請求項６】
前記雨水タンクは、前記家屋の北側外壁内部に収納されることを特徴とする請求項１から請求項５のいずれかに記載の家屋の雨水貯留構造。
【考案の詳細な説明】
【技術分野】
【０００１】
本考案は、家屋の屋根への降雨を貯留し、生活用水として利用する家屋の雨水貯留構造に関する。
【背景技術】
【０００２】
家屋においては、屋根の軒に軒樋を敷設しており、屋根に降った雨を軒樋に流して集水された雨水は、この軒樋と連通する竪樋により地下に設けられた雨水桝に流下させ、この雨水桝から公共の下水道に排水する構造が一般に採用されている。
【０００３】
ところで、このような屋根に降った雨水は、飲料水には適さないものの例えば園芸用やトイレ用の水として使用することができる。そこで、このような雨水を下水道に排水するのではなく、適切な用途に使用することで、水資源を節約しつつ、環境に配慮することができるように、竪樋を流下する雨水の一部を貯留する雨水タンクが種々提案されている（例えば特許文献１、特許文献２）。
【０００４】
さらに、外壁と内壁との間の空間に雨水タンクを設けることで、雨水タンクの設置場所の省スペース化を図る発明も提案されている（例えば特許文献３）。
【先行技術文献】
【特許文献】
【０００５】
【特許文献１】特開２００６−７０４７３号公報
【特許文献２】特開２００７−１７００２３号公報
【特許文献２】特開平１０ー３１７５３８号公報
【考案の概要】
【考案が解決しようとする課題】
【０００６】
しかし、雨水タンクに雨水を貯留し、貯留した雨水を長期間使用しなかったり、降雨がなかった場合には、当該雨水内に微生物が繁殖して雨水タンク内が微生物で汚れるので清掃に手間が掛かる問題点がある。また、微生物の繁殖や腐敗により災害時の非常用飲用に適さなくなる等の問題がある。
【０００７】
そこで、本考案は、雨水タンクに雨水を貯留することができるとともに、当該雨水に微生物が繁殖することを抑制することができ、なおかつ、雨水タンクの設置場所を省スペース化することができる家屋の雨水貯留構造を提供することを目的とする。
【課題を解決するための手段】
【０００８】
本考案の目的を達成するために請求項１に記載の家屋の雨水貯留構造は、家屋の外壁内部に収納される雨水タンクと、前記家屋の軒樋から流下する雨水の少なくとも一部を前記雨水タンクに導入する雨水流路管と、前記雨水タンクから下方に延びて設けられ、当該雨水タンクに貯留した水を外部に導く導水管と、該導水管を開閉可能な止水栓と、上水道から水道水を前記雨水タンクに導入する水道流路管と、を備えることを特徴としている。
【０００９】
請求項２に記載の家屋の雨水貯留構造は、前記雨水タンクはその下端が家屋の床面から所定距離を開けて上方に配置されることを特徴としている。
【００１０】
請求項３に記載の家屋の雨水貯留構造は、前記家屋は２階建て以上の建物であって、前記雨水タンクは２階以上の階の外壁に設けられることを特徴としている。
【００１１】
請求項４に記載の家屋の雨水貯留構造は、前記導水管は、タンクレストイレに連通することを特徴としている。
【００１２】
請求項５に記載の家屋の雨水貯留構造は、前記雨水流路管にフィルタが形成されることを特徴としている。
【００１３】
請求項６に記載の家屋の雨水貯留構造は、前記雨水タンクは、前記家屋の北側外壁内部に収納されることを特徴としている。
【考案の効果】
【００１４】
請求項１に記載の家屋の雨水貯留構造によると、雨水タンクには雨水を導入する雨水流路管と、水道水を導入する水道流路管とが連通しているので、雨水と水道水とをブレンドした水を貯留することができる。水道水は、例えば次亜塩素酸ナトリウムや次亜塩素酸カルシウム等の有機塩素化合物が含まれ、少なくとも０．１ｍｇ／Ｌの塩素を含有している。そして水道水と雨水とがブレンドされることにより、濃度は下がるもののこのような有機塩素化合物により殺菌することができ、バクテリアなどの細菌を含む微生物の繁殖を抑えることができるので、雨水タンク内の配管内の汚れや詰まりを防止できる。更にまた、雨水タンクが家屋の外壁内部に収納されることにより、雨水タンクの省スペース化を図ることができる。また、殺菌され微生物が繁殖していないので、非常時には飲用することも可能となる。
【００１５】
請求項２に記載の家屋の雨水貯留構造によると、雨水タンクはその下端が少なくとも家屋の１階あるいは上階の床面から所定距離を開けて上方に配置されるので、雨水タンクから下方に延びる導水管の先端には、雨水タンクの水面との高低差により、所定の水圧が発生する。したがって、ポンプを使用しなくとも導水管に設けた排水口から水圧の掛かった水を取り出すことができるので、災害時に停電が発生しても雨水の利用が可能となる。
【００１６】
請求項３に記載の家屋の雨水貯留構造によると、雨水タンクは少なくとも２階以上の階の外壁に設けられるので、例えば家屋の庭などで雨水を利用する場合に少なくとも１階分の高低差があるので、導水管の先端からポンプを使用しなくても導水管に設けた排水口から水を取り出し散水することができる。
【００１７】
請求項４に記載の家屋の雨水貯留構造によると、雨水タンクの水面との高低差により発生する水圧を利用して便器内へはある程度の水圧の掛かった水を流すことができることから、タンクレスの水洗トイレにすることができるので、トイレの省スペース化とコスト低減化を図ることができる。
【００１８】
請求項５に記載の家屋の雨水貯留構造によると、雨水流路管にフィルタが形成されているので、雨水に含まれる異物を雨水タンクの上流で取り除くことができる。
【００１９】
請求項６に記載の家屋の雨水貯留構造によると、雨水タンクは、家屋の北側外壁内部に収納されるので、雨水の昇温を防止でき、微生物の繁殖を抑制することができる。
【図面の簡単な説明】
【００２０】
【図１】外壁の外装材の一部を省略して、外壁内部を説明する家屋を示す斜視図。
【図２】（Ａ）は雨水タンクの屋外側面を説明する斜視図、（Ｂ）は雨水タンクの屋内側面を説明する斜視図。
【図３】雨水タンクに雨水及び水道水を流入させる状態を説明する簡略図。
【図４】雨水タンクに貯留した水を排水する状態を説明する簡略図。
【図５】複数の雨水タンクを設置した家屋の概略構成を説明する図。
【図６】竪樋の分岐部に弁体を設けない例を説明する図。
【考案を実施するための形態】
【００２１】
以下、本考案の家屋の雨水貯留構造１の最良の実施形態について、各図を参照しつつ説明する。家屋の雨水貯留構造１は、図１に示すように、家屋２に設置される。家屋２の屋根の軒には屋根３に降った雨を受けることができるように軒樋４が敷設されている。そしてこの軒樋４には下方に向かって延びる竪樋５が連通しており、この竪樋５は地中に設けられた図示しない雨水桝に連結し、流下した雨水を雨水桝を介して公共下水道に排出している。家屋の雨水貯留構造１は、図３に良く現れているように、家屋２の外壁６の外装材６ａと内装材６ｂとの間の空間に収納される雨水タンク７と、軒樋４から流下する雨水の一部を雨水タンク７に導く雨水流路管８と、雨水タンク７に貯留した水を外部に導く導水管９と、導水管９を開閉可能な止水栓１０と、上水道から水道水を雨水タンク７に導入する水道流路管１１と、を備えている。
【００２２】
雨水タンク７は、図２に示すように、ガラス繊維強化樹脂又はステンレス等の樹脂又は金属により内部が空洞の扁平な略直方体に形成されており、屋外側となる面の上部に雨水流路管８に連結する雨水受入口７ａが設けられており、屋内側となる面には上部に水道流路管１１に連結する水道水受入口７ｂが設けられている。また、屋内側となる面の下部には、雨水タンク７に貯留した水を排出する排出口７ｃが形成されている。また、雨水タンク７は、図３に示すように、その外表面に断熱シート層１２が形成されており、雨水タンク７の外表面温度と雨水タンク７周辺の空気の温度との差により結露が発生することを抑制している。なお、雨水タンク７は例えば融点の低い材料を用いて形成することで、火災等の際、タンクが溶融して、内部の水を外壁６内に流して延焼を防ぐようにしてもよい。
【００２３】
また、雨水タンク７の上部には図３に示すように、雨水タンク７内に消毒液２４を供給し、雨水タンク７内の水を消毒する消毒液供給装置２３が設けられていてもよい。これにより、雨水タンク７に貯留された水に微生物が繁殖することを防ぐことができる。この場合の消毒液２４の供給は、雨水タンク７内の次亜塩素酸ナトリウムなどの消毒液の濃度を自動測定して、濃度が所定以下になった時に所定量自動供給する消毒液供給装置２３としてもよい。
【００２４】
この雨水タンク７は、家屋２の構造躯体を構成する柱材１３の間に架設される横桟１４上に載置されて設置される。そして、図示しないが、必要な取り付け具を介して、例えばボルトや線材などの固定手段により柱材１３や横桟１４に固定される。この雨水タンク７は、外壁６の外装材６ａと内装材６ｂとの間の空間であればその高さ位置は限定されるものではないが、１階の床から所定距離を開けて上方に設置されることが好ましい。さらに好ましくは図１及び図３に示すように、家屋２の２階以上の外壁６の外装材６ａと内装材６ｂとの間の空間に収納される。より好ましくは、家屋２の２階以上であって、家屋２の図示しない床から所定距離を開けて上方に設置される。少なくとも家屋２の１階の床から所定距離を開けて上方に設置されれば、１階の床付近の高さで水を利用する場合に、貯留した雨水の水面の高さと貯留した雨水を利用する位置との間に高低差から、水圧を発生させ勢い良く水を排出することができる。また、家屋２の２階以上に設置した場合には、１階で水を利用する場合により高い水圧を発生させることができ、さらに２階以上の床から所定距離を開けて上方に設置することにより、２階以上の床付近で水を利用する場合にも、貯留した雨水の水面の高さと貯留した雨水を利用する位置との間に高低差が生まれ、その所定の水圧により水を勢い良く流すことができるので、２階に設けられたタンクレストイレの排水にも利用することができる。
【００２５】
この雨水タンク７は、家屋２のいずれの方角に設けられた外壁６の外装材６ａと内装材６ｂとの間の空間に収納されてもよいが、家屋２の北側は太陽光の直射がないので高温になることがなく、微生物の繁殖をより効果的に抑えることができるので、北側の外壁６の外装材６ａと内装材６ｂとの間の空間に収納されることが好ましい。
【００２６】
雨水流路管８は、一端が竪樋５に形成される分岐部５ａに連通し、中間部で図３、図４に示すように、雨水流路管８は外壁６の外装材６ａに形成された貫通孔に挿入し、他端が雨水タンク７の雨水受入口７ａに連通する樹脂製の円筒管である。図３及び図４の簡略図で示すように、竪樋５の分岐部５ａには、軒樋４から竪樋５に流入した雨水をそのまま竪樋５内を流下させる雨水排水状態と、竪樋５に流入した雨水を雨水流路管８側に流入させる雨水貯留状態とに変更可能な弁体１５が形成されている。なお、この弁体１５は手動で動かすことができるものであっても、電力その他の動力で動かすことができるものであってもよい。竪樋５の雨水流路管８の分岐部５ａよりも上流には、異物が竪樋５及び雨水流路管８内を流下して雨水タンク７に流入することを防ぐフィルタ１６が設けられている。このフィルタ１６は例えば活性炭やろ過膜の層から構成されており、浄水機能を有することが好ましい。なお、竪樋５のこのフィルタ１６よりも上流にはオーバーフロー管２２が連通しており、フィルタ１６が目詰まりして雨水を下流側に通さなくなった場合や雨水タンクが満水時に、その雨水をオーバーフロー管２２側に流して、屋根の軒樋４と竪樋５との図外の連結部に雨水が溢れることを防止している。また、竪樋５のオーバーフロー管２２よりも上流には、ゴミ排除網２１が設けられており、比較的大きなゴミなどはこのゴミ排除網２１により漉し取られる。
【００２７】
なお、分岐部５ａは図６に示すように、軒樋４から竪樋５に流入した雨水が一旦全て雨水流路管８に流入する構成とし、雨水タンク７が所定の貯水量に達したときに、この雨水流路管８の分岐部５ａ側の端部から貯留された水がオーバーフローして竪樋５の下端側に流下する構成としてもよい。
【００２８】
導水管９は、上端が排出口７ｃに連通し、その下端は、屋外に水を排出する止水栓１０が設けられた蛇口１７に連通している。この止水栓１０を開放することにより、雨水タンク７内に貯留した水は蛇口１７から屋外に排出され、例えば園芸用水などに利用される。
【００２９】
水道流路管１１は上水道に連通しており、雨水タンク７の手前には水道用弁１８が設けられている。雨水タンク７に水道水を流入させるときには水道用弁１８を開放させ、雨水タンク７への水道水の流入を止めるときには水道用弁１８を閉塞させる。
【００３０】
雨水タンク７に水を貯留するときには、図３に示すように、導水管９に設けられた止水栓１０を閉塞させるとともに、竪樋５の分岐部５ａに設けられた弁体１５を雨水貯留状態に保持して雨水を雨水タンク７に流入させ、又は、水道流路管１１に設けられた水道用弁１８を開放させて水道水を雨水タンク７に流入させる。すなわち、例えば梅雨時などのように降水量が多い時期には、竪樋５から流れる雨水により十分な量の水を雨水タンク７に貯留することができる。この場合には、水道用弁１８は短時間開放させることにより、消毒用に少量の水道水を雨水タンク７に流入させることで、水道水に含まれている次亜塩素酸ナトリウムや次亜塩素酸カルシウムなどの有機塩素化合物の作用によって雨水タンク７に貯留する水に微生物が繁殖することを抑制しつつ、十分な貯水量を得ることができ、節水することができる。この場合の水道水の流入は、晴天が続いて雨水の貯水が得られない場合に、雨水タンク７に設けた図外の水位計が所定の水位を示した場合に自動的に所定水位まで水道水を供給する自動制御装置付きのものであっても、手動で行うものであってもよい。
【００３１】
また、降水量が少ない時期には、竪樋５から流れる雨水の量が十分ではないので、水道用弁１８を雨水タンク７に水が貯留するまで開放し、十分な量の水を雨水タンク７に貯留する。このように、降水量が十分でない時期にも雨水タンク７に必要な量の水を貯留することができるので、例えば災害時など上水道に予期しない断水があったような場合に微生物の発生していない生活用水を確保することができる。
【００３２】
雨水タンク７は図５に示すように、複数設置することもできる。この場合、雨水タンク７の下部にそれぞれの雨水タンク７を連通させる連通管１９を設けて、それぞれの雨水タンク７に雨水及び水道水をその水面が均等になるように貯留することができる。このように雨水タンク７を複数設けることにより必要な量の水を適切に貯留することができる。また雨水タンク７から下方に延びる導水管９の下端をタンクレストイレ２０の流入口に連通させることにより、雨水タンク７に貯留した水をトイレ用水として用いることができる。特に雨水タンク７の下端が２階以上の床から所定の距離を開けて上方に設置されるようにした場合、２階に設けられるトイレであっても十分な水圧の水を供給することができる。
【００３３】
なお、雨水タンク７は家屋２の外壁６の内部から着脱自在に構成されていることが好ましい。この場合、例えば外壁６の外装材６ａまたは内装材６ｂが梁又は柱材１３から取り外し可能に形成され、又は、外装材６ａ又は内装材６ｂに開き戸又は引き戸などの開口が設けられることにより、雨水タンク７を外壁６の内部から取り出す。このように着脱自在に構成されることで容易に修理、交換することができる。
【００３４】
また、雨水タンク７に図示しない電動ポンプと接続し、このポンプによって送り出された水を屋根面上に霧吹きできる散水管とを設けて、屋根に散水可能に構成すれば、屋根面の温度上昇を阻止できるので特に夏期においては、クーラーの使用を抑えて節電を図ることができる。
【００３５】
このような家屋の雨水貯留構造１を設置することにより、雨水を一時調整することにより、局地豪雨の小さな調整池の役割を担うこともできる。
【００３６】
なお、本考案の実施の形態は上述の形態に限ることなく、本考案の思想の範囲を逸脱しない範囲で適宜変更することができることは云うまでもない。
【産業上の利用可能性】
【００３７】
本考案に係る家屋の雨水貯留構造１は、例えば家屋２等の家屋の屋根３に降った雨水を貯留して生活用水に利用する家屋の雨水貯留構造１として、好適に用いることができる。
【符号の説明】
【００３８】
１      家屋の雨水貯留構造
２      家屋
３      屋根
４      軒樋
６      外壁
７      雨水タンク
８      雨水流路管
９      導水管
１０    止水栓
１１    水道流路管
１６    フィルタ
２０    タンクレストイレ
【図１】
0003170060.tif 000003
【図２】
0003170060.tif 000004
【図３】
0003170060.tif 000005
【図４】
0003170060.tif 000006
【図５】
0003170060.tif 000007
【図６】
0003170060.tif 000008